(57)【要約】      （修正有）【課題】ファンケーシングの清掃の際にガスレンジ台上で行うことは姿勢が前のめりになって大変である。綺麗にならないので、清掃しやすいファンケーシングを提供する。【解決手段】フードとファンケイシングを一体に形成し、フードファンケイシング４にして、フードファンケイシングの吸気面全面を脱着容易にし、レンジフードの左右側面の両者にコロガイドレール１０と上コロ１１を配設して、フードファンケイシングの左右と前後にＣ型フレーム１２を枠状に装着し、左右のＣ型フレームに下コロ１３を配設して、整流板支持柱にＬ字形切り込みを形成して、椀形オイルグリッドと円形吸気面をＬ字形切り込みに装着する。【選択図】図３
2016065709.tif 000002
【特許請求の範囲】
【請求項１】
レンジフードにおいて、フードとファンケイシングを一体に形成し、フードファンケイシングにして、フードファンケイシングの吸気面全面を脱着容易にし、吸気面全面を広げて円形にして、フードファンケイシング上にファンモーターを装着し、ファンモーター回転軸にファンをファン装着具で脱着容易に装着して、レンジフードの右側面と左側面の両者に向かい合うコロガイドレールと上コロを配設して、フードファンケイシングの左右と前後にＣ型フレームを枠状に装着し、左右のＣ型フレームの両者の奥端に下コロと左右のＣ型フレームの両者の上に上コロスットッパーを配設する、と共に、フードファンケイシングに装着する整流板の上面に整流板支持柱を整流板の奥に２本と手前に２本設け、奥２本にフックを形成し、手前２本に留穴を形成して、フードファンケイシング下部にフック留と留穴留め具を形成し、全ての整流板支持柱にＬ字形切り込みを形成して、椀形オイルグリッドと円形吸気面をＬ字形切り込みに装着する事を特徴とするレンジフード。
【請求項２】
前記フードファンケイシングに接続する排気ダクトは二重管にして伸縮自在であって、排気ダクトを接続する為の接続補助具は、フードファンケイシングに接続補助リングＡを配設して、接続補助リングＡの内周に溝を設け、排気ダクトに接続補助リングＢを装着し、接続補助リングＢに複数のリングフックを形成して、溝にリングフックを回転自在で脱着容易に係止している、事を特徴とする請求項１に記載のレンジフード。
【請求項３】
前記レンジフードの右側面と左側面にフードファンケイシング耐震移動留が装着されている事を特徴とする請求項１又は請求項２に記載のレンジフード。
【請求項４】
レンジフードにおいて、レンジフードの整流板の中央に隆起部を形成し、オイルグリッドを椀形にして、椀形オイルグリッドの中央に整流板の隆起部が嵌る穴を設けて、椀形オイルグリッドの穴に整流板中央の隆起部を挿入して、整流板に椀形オイルグリッドをオイルグリッド留め具で脱着容易に装着する事を特徴とするレンジフード。
【請求項５】
レンジフードにおいて、レンジフードからガスレンジ台又はＨＩ台に向かう位置に熱感知装置を設けて、熱感知装置の作動によりファンモーターの電圧や電流が変化する事を特徴とするレンジフード。
【発明の詳細な説明】
【技術分野】
【０００１】
本発明は、調理時に発生する湯気、油分を含む空気等をフード内に捕集し送風機で屋外に排出するレンジフードにおいて、そのフード清掃を楽な姿勢での洗浄に関する。
【背景技術】
【０００２】
従来、レンジフードの清掃の際にファンケーシングの清掃はガスレンジの上でなされていて、オイルグリッドの脱着は高い位置で行われていた。
【先行技術文献】
【特許文献】
【０００３】
【特許文献１】特開平７−２９３９５８号公報
【特許文献２】特開２００９−１３８９９０号公報
【特許文献３】特開２００９−２５４１号公報
【特許文献４】特開２００６−３００３５３号公報
【発明の概要】
【０００４】
フードとファンケイシングを一体に形成し、フードファンケイシングにして、フードファンケイシングの吸気面全面を脱着容易にし、レンジフードの左右側面の両者にコロガイドレールと上コロを配設して、フードファンケイシングの左右と前後にＣ型フレームを枠状に装着し、左右のＣ型フレームに下コロを配設して、整流板支持柱にＬ字形切り込みを形成して、椀形オイルグリッドと円形吸気面を整流板に設けた支柱のＬ字形切り込みに装着することにより問題点を解決した。
【発明が解決しようとする課題】
【０００５】
特開平７−２９３９５８号公報においては、ファンケーシングの一部とオイルグリッドを下に下げているが、ファンケーシングの多くはレンジフード上奥深い所にあり清浄に手間がかかる。
特開平７−２９３９５８号公報においては、フードは取り外す事は出来るがファンフードの清浄は高い位置での作業であり骨が折れる。
特開２００９−１３８９９０号公報においては、レンジフードの清掃の際にファンケーシングの清掃はガスレンジの上でなされているので前のめりの姿勢での清掃は骨が折れる。
【０００６】
しかしながら、従来通りのシロッコファンケーシング取付け位置での清掃は高い位置での作業であり骨が折れる、綺麗にならない、レンジフード上奥にあるシロッコファンケーシングの清浄はガスレンジ台やIHクッキングヒーター台の上に乗り体をよじって行わなければならない、などの解決すべき問題点があった、本考案はこれらの問題を解決するためのものである。
【課題を解決するための手段】
【０００７】
本願発明の請求項１は、レンジフードにおいて、フードとファンケイシングを一体に形成し、フードファンケイシングにして、フードファンケイシングの吸気面全面を脱着容易にし、吸気面全面を広げて円形にして、フードファンケイシング上にファンモーターを装着し、ファンモーター回転軸にファンをファン装着具で脱着容易に装着して、レンジフードの右側面と左側面の両者に向かい合うコロガイドレールと上コロを配設して、フードファンケイシングの左右と前後にＣ型フレームを枠状に装着し、左右のＣ型フレームの両者の奥端に下コロと左右のＣ型フレームの両者の上に上コロスットッパーを配設する、と共に、フードファンケイシングに装着する整流板の上面に整流板支持柱を整流板の奥に２本と手前に２本設け、奥２本にフックを形成し、手前２本に留穴を形成して、フードファンケイシング下部にフック留と留穴留め具を形成し、全ての整流板支持柱にＬ字形切り込みを形成して、椀形オイルグリッドと円形吸気面をＬ字形切り込みに装着するレンジフード。
【０００８】
本願発明の請求項２は、前記フードファンケイシングに接続する排気ダクトは二重管にして伸縮自在であって、排気ダクトを接続する為の接続補助具は、フードファンケイシングに接続補助リングＡを配設して、接続補助リングＡの内周に溝を設け、排気ダクトに接続補助リングＢを装着し、接続補助リングＢに複数のリングフックを形成して、溝にリングフックを回転自在で脱着容易に係止している、事を特徴とする請求項１に記載のレンジフード。
【０００９】
本願発明の請求項３は、前記レンジフードの右側面と左側面にフードファンケイシング耐震移動留が装着されているレンジフード。
【００１０】
請求項４は、レンジフードにおいて、レンジフードの整流板の中央に隆起部を形成し、オイルグリッドを椀形にして、椀形オイルグリッドの中央に整流板の隆起部が嵌る穴を設けて、椀形オイルグリッドの穴に整流板中央の隆起部を挿入して、整流板に椀形オイルグリッドをオイルグリッド留め具で脱着容易に装着する事を特徴とするレンジフード。
【００１１】
請求項５は、レンジフードにおいて、レンジフードからガスレンジ台又はＨＩ台に向かう位置に熱感知装置を設けて、熱感知装置の作動によりファンモーターの電圧や電流が変化するレンジフード。
【００１２】
本願発明のレンジフードは、レンジフードにおいて、フードとファンケイシングを一体に形成し、フードファンケイシングにして、フードファンケイシングの吸気面全面を脱着容易にして、フードファンケイシング上にファンモーターを装着して、ファンモーター回転軸にファンをファン装着具で脱着容易に装着する。
【００１３】
レンジフードの右側面と左側面の両者に向かい合うコロガイドレーと上コロを配設して、フードファンケイシングの左右と前後にＣ型フレームを枠状に装着し、左右のＣ型フレームの両者の奥端に下コロと左右のＣ型フレームの両者の上に上コロスットッパーを配設する。
【００１４】
フードファンケイシング上部の横に接続する排気ダクトは二重管にして伸縮自在であって、レンジフードの左側面とフードファンケイシング上部の両者に排気ダクトを接続する為の接続補助具は、フードファンケイシング上部の側面に接続補助リングＡを配設して、接続補助リングＡの内周に溝を設け、排気ダクトに接続補助リングＢを装着し、接続補助リングＢに複数のリングフックを形成して、溝にリングフックを係止して、溝とリングフックの噛み合わせは接続補助リングＡに接続補助リングＢが回転自在で脱着容易に装着出来る様にする。
【００１５】
フードファンケイシングの吸気面全面を円形にして、フードファンケイシング下であって、フードファンケイシング下に装着する整流板上に設けるオイルグリッドは、椀形状の椀形オイルグリッドにして、吸気面の直径と椀形オイルグリッドの直径を同一の距離にする。
【００１６】
整流板上面に配設する整流板支持柱を整流板の奥に２本と手前に２本設け、奥２本にフック を形成し、手前２本に留穴を形成して、フードファンケイシングの下面に整流板を扇状で開閉自在に装着する要にフックをひっかけるフック留を設け、フードファンケイシング下面の手前に整流板の手前を上げて留穴を係止する締め込み機能を有する留穴留め具を形成して、全ての整流板支持柱に円形な吸気面と椀形オイルグリッドを重ねてはめ込む為のＬ字形切り込みを全ての整流板支持柱の中心方向に向けて形成する。
【００１７】
レンジフードの右側面と左側面に扉を装着して、右側面と左側面に災害時フードが飛び出さないための耐震フードファンケイシング移動留を装着する。
【発明の効果】
【００１８】
以下図面に基づき説明する。
図１−図符号１−符号３１は、レンジフード（１）において、フード(２)とファンケイシング(３)を一体に形成し、フードファンケイシング(４)にして、フードファンケイシング(４)の吸気面(５)全面を脱着容易にすることにおいて、フードファンケイシング(４)より吸気面(５)を外した場合、ファンケイシング(３)内面全体を目視出来て清掃が容易に出来る。
【００１９】
レンジフード（１）の右側面(８)と左側面(９)の両者に向かい合うコロガイドレール(１０)と上コロ(１１)を配設して、フードファンケイシング(４)の左右と前後にＣ型フレーム(１２)を枠状に装着し、左右のＣ型フレーム(１２)の両者の奥端に下コロ(１３)と左右のＣ型フレーム(１２)の両者の上に上コロスットッパー(１４)を配設することにおいて、使用可能状態のレンジフード(１)からフードファンケイシング(４)を前へ移動して、ガスレンジの前に立って前のめりに成らずにフードファンケイシング(４)下で清掃可能状態になる。
【００２０】
フードファンケイシング(４)上部の横に接続する排気ダクト(１５)は二重管にして伸縮自在であって、レンジフード（１）の左側面(９)とフードファンケイシング(５)上部の両者に排気ダクト(１５)を接続する為の接続補助具(１６)は、フードファンケイシング(４)上部の側面に接続補助リングＡ(１７)を配設して、接続補助リングＡ(１７)の内周に溝(１８)を設け、排気ダクト(１５)に接続補助リングＢ(１９)を装着し、接続補助リングＢ(１９)に複数のリングフック(２０)を形成して、溝(１８)にリングフック(２０)を係止して、溝(１８)とリングフック(２０)の噛み合わせは接続補助リングＡ(１７)に接続補助リングＢ(１９)が回転自在で脱着容易に装着出来る様にすることにおいて、フードファンケイシング(４)の前後の移動時に排気ダクト(１５)にかかる負担を軽減出来て、フードファンケイシング(４)の前後の移動が容易に出来る。
【００２１】
フードファンケイシング(４)の吸気面(５)全面を円形にして、フードファンケイシング(４)下であって、フードファンケイシング(４)下に装着する整流板(２１)上に設けるオイルグリッドは、椀形状の椀形オイルグリッド(２２)にして、吸気面(５)の直径と椀形オイルグリッド(２２)の直径を同一の距離にすることにおいて、吸気面(５)と椀形オイルグリッド(２２)を重ねることが出来る。
【００２２】
整流板上面(２３)に配設する整流板支持柱(２４)を整流板(２１)の奥に２本と手前に２本設け、奥２本にフック(２５) を形成し、手前２本に留穴(２６)を形成して、フードファンケイシング(４)の下面に整流板（２１）を扇状で開閉自在に装着する要にフック(２５)をひっかけるフック留(２７)を設け、フードファンケイシング(４)下面の手前に整流板(２１)の手前を上げて留穴(２６)を係止する留穴留め具(２８)を形成して、全ての整流板支持柱(２４)にＬ字形切り込み(２９)を形成することにおいて、整流板支持柱(２４)に円形な吸気面(５)と椀形オイルグリッド(２２)を重ねてはめ込むことが出来る。
【００２３】
椀形オイルグリッド(２２)の中央に穴を設けて、整流板(２１)に椀形オイルグリッド(２２)中央の穴にはまる隆起部を形成して、椀形オイルグリッド(２２)中央の穴に整流板(２１)の 隆起部を挿入して、整流板(２１)に椀形オイルグリッド(２２)をオイルグリッド留め具(３２)で脱着容易に装着することにおいて、椀形オイルグリッド(２２)を、Ｌ字形切り込み(２９)に乗せることなしに整流板(２１)に固定装着出来て、椀形オイルグリッド(２２)のサイズを変化できる。
【００２４】
椀形オイルグリッド(２２)中央の穴を楕円形にして、整流板(２１)の 隆起部を楕円形にすることにおいて、整流板(２１)の楕円形隆起部を椀形オイルグリッド(２２)中央の楕円形穴に挿入して、整流板(２１)と椀形オイルグリッド(２２)を反対方向にひねると、オイルグリッド留め具(３２)なしで椀形オイルグリッド(２２)を整流板(２１)に脱着出来る。
【００２５】
レンジフード（１）の右側面(８)と左側面(９)に扉(３０)を装着して、右側面(８)と左側面(９)にフードファンケイシング(４)移動留(３１)を装着することにおいて、災害時フードの飛び出しを防止出来る。
【図面の簡単な説明】
【００２６】
【図１】レンジフード（１）の外観正面図。
【図２】レンジフード（１）の使用可能状態であって切断線Ａ―Ａ線を示す正面図。
【図３】コロガイドレール(１０)と上コロ(１１)、Ｃ型フレーム(１２)と下コロ(１３)とによりレンジフード内部を前に移動したレンジフード(１)左側面図。
【図４】コロガイドレール(１０)と上コロ(１１)、Ｃ型フレーム(１２)と下コロ(１３)とにより前へ移動可能形態を示していて、レンジフード(１)の使用可能状態を示す左側面から見たイメージ図、切断線Ｂ−Ｂ線と切断線Ｃ―Ｃ線を示す。
【図５】左側面(９)を内側から見た図。
【図６】図２の切断線Ａ―Ａ線端面図。
【図７】整流板(２１)と、吸気面(５)と、椀形オイルグリッド(２２)の斜視図。
【図８】フードファンケイシング(４) 底面図。
【図９】レンジフード（１）の使用可能状態イメージ図、Ｂ円内は図４の切断線Ｂ−Ｂ線端面図、Ｃ円内は図４の切断線Ｃ−Ｃ線端面図。
【発明を実施するための形態】
【００２７】
以下図面に基づき説明する。
図１−図符号１−符号３１は、レンジフード（１）において、フード(２)とファンケイシング(３)を一体に形成し、フードファンケイシング(４)にして、フードファンケイシング(４)の吸気面(５)全面を脱着容易にして、フードファンケイシング(４)上にファンモーター(６)を装着して、ファンモーター回転軸にファン(７)をファン装着具で脱着容易に装着する。
【００２８】
レンジフード（１）の右側面(８)と左側面(９)の両者に向かい合うコロガイドレール(１０)と上コロ(１１)を配設して、フードファンケイシング(４)の左右と前後にＣ型フレーム(１２)を枠状に装着し、前面のＣ型フレーム(１２)に化粧板をもうけて、左右のＣ型フレーム(１２)の両者の奥端に下コロ(１３)と左右のＣ型フレーム(１２)の両者の上に上コロスットッパー(１４)を配設する。
【００２９】
フードファンケイシング(４)上部の横に接続する排気ダクト(１５)は二重管にして伸縮自在であって、レンジフード（１）の左側面(９)とフードファンケイシング(５)上部の両者に排気ダクト(１５)を接続する為の接続補助具(１６)は、フードファンケイシング(４)上部の側面に接続補助リングＡ(１７)を配設して、接続補助リングＡ(１７)の内周に溝(１８)を設け、排気ダクト(１５)に接続補助リングＢ(１９)を装着し、接続補助リングＢ(１９)に複数のリングフック(２０)を形成して、溝(１８)にリングフック(２０)を係止して、溝(１８)とリングフック(２０)の噛み合わせは接続補助リングＡ(１７)に接続補助リングＢ(１９)が回転自在で脱着容易に装着出来る様にする。
【００３０】
フードファンケイシング(４)の吸気面(５)全面を円形にして、フードファンケイシング(４)下であって、フードファンケイシング(４)下に装着する整流板(２１)上に設けるオイルグリッドは、椀形状の椀形オイルグリッド(２２)にして、吸気面(５)の直径と椀形オイルグリッド(２２)の直径を同一の距離にする。
【００３１】
整流板上面(２３)に配設する整流板支持柱(２４)を整流板(２１)の奥に２本と手前に２本設け、奥２本にフック(２５) を形成し、手前２本に留穴(２６)を形成して、フードファンケイシング(４)の下面に整流板（２１）を扇状で開閉自在に装着する要にフック(２５)をひっかけるフック留(２７)を設け、フードファンケイシング(４)下面の手前に整流板(２１)の手前を上げて留穴(２６)を係止する留穴留め具(２８)を設けて、全ての整流板支持柱(２４)に円形な吸気面(５)と椀形オイルグリッド(２２)を重ねてはめ込む為のＬ字形切り込み(２９)を全ての整流板支持柱(２４)の中心方向に向けて形成する。
【００３２】
椀形オイルグリッド(２２)の中央に穴を設けて、整流板(２１)に椀形オイルグリッド(２２)中央の穴にはまる隆起部を形成して、椀形オイルグリッド(２２)中央の穴に整流板(２１)の 隆起部を挿入して、整流板(２１)に椀形オイルグリッド(２２)をオイルグリッド留め具(３２)で脱着容易に装着する。
【００３３】
レンジフード（１）の右側面(８)と 左側面(９)に扉(３０)を装着して、右側面(８)と左側面(９)に災害時フードが飛び出さないためのフードファンケイシング(４) 耐震移動留(３１)を装着する。
【００３４】
レンジフードの(１)のフードファンケイシング(４)からガスレンジ台又はＨＩ台に向かう位置に熱感知装置(３３)を設けて、熱感知装置(３３)の作動によりファンモーター(６)の電源回路をＯＮ  ＯＦする、又はファンモーター(６)の電圧や電流を変化させる。
【００３５】
使用可能状態のレンジフード(１)からフードファンケイシング(４)の清掃は、整流板支持柱(２４)手前２本の留穴(２６)と留穴留め具(２８)の係止を解いて整流板（２１）の手前を下げ、整流板支持柱(２４)に設けたＬ字形切り込み(２９)より円形な吸気面(５)と椀形オイルグリッド(２２)を外して、整流板支持柱(２４)奥２本のフック(２５)をフードファンケイシング(４)下面に設けたフック留(２７)より外して清掃する。
【００３６】
フードファンケイシング(４)の前への移動は、レンジフード（１）の右側面(８)と左側面(９)の扉(３０)を開いて、フードファンケイシング(４) 耐震移動留(３１)を解除し、フードファンケイシング(４)を手前に引っ張って頭の上まで移動して、ファンモーター回転軸からファン(７)を外して清掃する。
【産業上の利用可能性】
【００３７】
レンジフードにおいて、フードファンケイシングをレンジフードより独立させ前後の移動が容易に出来る構成は、製造費用を増すことなく製造出来る。
【符号の説明】
【００３８】
１  レンジフード
２  フード
３  ファンケイシング
４  フードファンケイシング
５  吸気口面
６  ファンモーター
７  ファン
８  右側面
９  左側面
１０  コロガイドレール
１１  上コロ
１２  Ｃ型フレーム
１３  下コロ
１４  上コロストッパー
１５  排気ダクト
１６  接続補助具
１７  支持補助リングＡ
１８  溝
１９  支持補助リングＢ
２０  リングフック
２１  整流板
２２  椀型オイルグリッド
２３  整流板上面
２４  整流版支持柱
２５  フック
２６  留穴
２７  フック留
２８  留穴留具
２９  Ｌ字形切り込み
３０  扉
３１  移動止
３２  椀型オイルグリッド留め具
３３  熱感知装置
【図１】
2016065709.tif 000003
【図２】
2016065709.tif 000004
【図３】
2016065709.tif 000005
【図４】
2016065709.tif 000006
【図５】
2016065709.tif 000007
【図６】
2016065709.tif 000008
【図７】
2016065709.tif 000009
【図８】
2016065709.tif 000010
【図９】
2016065709.tif 000011
【手続補正書】
【提出日】平成27年9月16日(2015.9.16)
【手続補正１】
【補正対象書類名】明細書
【補正対象項目名】００１８
【補正方法】変更
【補正の内容】
【００１８】
以下図面に基づき説明する。
図１−図９符号１−符号３３は、レンジフード（１）において、フード(２)とファンケイシング(３)を一体に形成し、フードファンケイシング(４)にして、フードファンケイシング(４)の吸気面(５)全面を脱着容易にすることにおいて、フードファンケイシング(４)より吸気面(５)を外した場合、ファンケイシング(３)内面全体を目視出来て清掃が容易に出来る。
【手続補正２】
【補正対象書類名】明細書
【補正対象項目名】００２７
【補正方法】変更
【補正の内容】
【００２７】
図１−図９符号１−符号３３は、レンジフード（１）において、フード(２)とファンケイシング(３)を一体に形成し、フードファンケイシング(４)にして、フードファンケイシング(４)の吸気面(５)全面を脱着容易にして、フードファンケイシング(４)上にファンモーター(６)を装着して、ファンモーター回転軸にファン(７)をファン装着具で脱着容易に装着する。